(57)【要約】【課題】複数の画面を有効に利用しつつ手書き認識を行なうことができる情報処理装置を提供する。【解決手段】電子機器１００は、第１の表示部として機能する液晶パネル１４０と、第２の表示部として機能する液晶パネル２４０とを備える。液晶パネル１４０および液晶パネル２４０は、各々、光センサを内蔵しており、外部からの入力を受付可能である。液晶パネル２４０が、パターン入力を受け付ける入力エリアの作成を指示するトリガ入力を受け付けると、電子機器１００は、液晶パネル２４０に入力エリアを作成する。また、電子機器１００は、トリガ入力時に液晶パネル２４０が表示していた画面を液晶パネル１４０に表示する。【選択図】図１
2010152696.tif 000002
【特許請求の範囲】
【請求項１】
電子機器であって、
第１の画面を表示するディスプレイと、
第２の画面を表示し、かつ、外部からの入力を受け付け可能な表示一体型タブレットと、
前記ディスプレイおよび前記表示一体型タブレットの動作を制御する制御手段とを備え、
前記制御手段は、
前記表示一体型タブレットが、外部からのパターン入力を受け付ける入力エリアの作成を指示するトリガ入力を受け付けると、前記表示一体型タブレットに前記入力エリアを作成させるエリア作成手段と、
前記トリガ入力に応じて、前記トリガ入力時の前記第２の画面を前記ディスプレイに表示する画面切替手段とを含む、電子機器。
【請求項２】
前記画面切替手段は、前記入力エリアへの前記パターン入力の終了指示を受け付けると、前記トリガ入力時の前記第２の画面を前記表示一体型タブレットに表示する、請求項１に記載の電子機器。
【請求項３】
前記画面切替手段は、前記終了指示を受け付けると、前記トリガ入力時の前記第２の画面および前記入力エリアを前記表示一体型タブレットに表示する、請求項２に記載の電子機器。
【請求項４】
前記画面切替手段は、前記終了指示を受け付けると、前記入力エリアを前記トリガ入力時の前記第２の画面に重畳して前記表示一体型タブレットに表示する、請求項３に記載の電子機器。
【請求項５】
前記画面切替手段は、前記終了指示を受け付けると、前記入力エリアを避けるように前記トリガ入力時の前記第２の画面を前記表示一体型タブレットに表示する、請求項３に記載の電子機器。
【請求項６】
前記画面切替手段は、前記終了指示を受け付けると、前記トリガ入力時の前記第１の画面を前記ディスプレイに表示する、請求項２から５のいずれか１項に記載の電子機器。
【請求項７】
前記画面切替手段は、前記終了指示を受け付けると、前記ディスプレイに前記パターン入力を利用した動作を行なうメニューを含むメニュー画面を表示する、請求項２から５のいずれか１項に記載の電子機器。
【請求項８】
前記画面切替手段は、前記トリガ入力時に前記表示一体型タブレットが、前記パターン入力を利用した動作を行なうメニューを含むメニュー画面を表示している場合、前記終了指示を受け付けると、前記ディスプレイに前記メニュー画面を表示する、請求項２から５のいずれか１項に記載の電子機器。
【請求項９】
前記エリア作成手段は、前記入力エリアの作成後に、前記入力エリアを除く前記表示一体型タブレットの領域が前記入力を受け付けると、新たに前記入力エリアを作成する、請求項１から８のいずれか１項に記載の電子機器。
【請求項１０】
前記表示一体型タブレットは、光センサ内蔵液晶パネルである、請求項１から９のいずれか１項に記載の電子機器。
【請求項１１】
第１の画面を表示するディスプレイと、第２の画面を表示し、かつ、外部からの入力を受け付け可能な表示一体型タブレットと制御部とを有する電子機器の画面切替方法であって、
前記表示一体型タブレットが外部からのパターン入力を受け付ける入力エリアの作成を指示するトリガ入力を受け付けると、前記制御部が、前記表示一体型タブレットに前記入力エリアを作成するステップと、
前記トリガ入力に応じて、前記制御部が、前記トリガ入力時の前記第２の画面を前記ディスプレイに表示するステップとを備える、画面切替方法。
【請求項１２】
第１の画面を表示するディスプレイと、第２の画面を表示し、かつ、外部からの入力を受け付け可能な表示一体型タブレットと制御部とを有する電子機器に画面切替を実行させるための画面切替プログラムであって、
前記表示一体型タブレットが外部からのパターン入力を受け付ける入力エリアの作成を指示するトリガ入力を受け付けると、前記制御部が、前記表示一体型タブレットに前記入力エリアを作成するステップと、
前記トリガ入力に応じて、前記制御部が、前記トリガ入力時の前記第２の画面を前記ディスプレイに表示するステップとを備える、画面切替プログラム。
【発明の詳細な説明】
【技術分野】
【０００１】
本発明は、電子機器、電子機器の画面切替方法および画面切替プログラムに関する。
【背景技術】
【０００２】
現在、様々な情報処理装置が普及している。情報処理装置の代表的なものとして、パーソナルコンピュータ、携帯電話やＰＤＡ（Ｐｅｒｓｏｎａｌ  Ｄｉｇｉｔａｌ  Ａｓｓｉｓｔａｎｔ）などの携帯情報端末がある。
【０００３】
近年では、複数の表示画面を備える情報処理装置が開発されている。また、表示画面と組み合わせた入力デバイス（表示一体型入力デバイス）を備える情報処理装置も開発されている。たとえば、最近の電子辞書には、通常の画面の他に、手書き認識用のサブ画面をもつものがある。
【０００４】
特許文献１（国際公開第２００５／０９１１１７号パンフレット）には、第１の表示領域と、第２の表示領域と、第２の表示領域に設けられた入力デバイス（例えばタッチパネル）とを備える情報処理装置が開示されている。特許文献１に開示されている情報処理装置は、第２の表示領域に、第１の表示領域に表示される複数のウィンドウにそれぞれ対応付けられた複数のタブを表示する。情報処理装置は、タブ上で所定の入力があったと判定すると、タブに対応付けられているウィンドウを第２の表示領域に表示する。
【特許文献１】国際公開第２００５／０９１１１７号パンフレット
【発明の開示】
【発明が解決しようとする課題】
【０００５】
複数の表示画面および表示一体型入力デバイスを備える従来の情報処理装置は、手書き認識を行なうにあたって、次のような問題を有している。特許文献１に記載の情報処理装置は、手書き認識を行なうことはできない。この情報処理装置は、入力デバイスと組み合わせた第２の表示領域をウィンドウの表示に用いており、手書き認識に用いているわけではない。一方、電子辞書のように１つの画面を手書き認識のために用いる情報処理機器は、サブ画面を表示エリアとして十分に活用できていなかった。
【０００６】
本発明は、上記のような問題を解決するためになされたものであって、複数の画面を有効に利用しつつ手書き認識を行なうことができる情報処理装置を提供することを課題とする。
【課題を解決するための手段】
【０００７】
本発明の１つの局面に従うと、電子機器であって、第１の画面を表示するディスプレイと、第２の画面を表示し、かつ、外部からの入力を受け付け可能な表示一体型タブレットと、ディスプレイおよび表示一体型タブレットの動作を制御する制御手段とを備え、制御手段は、表示一体型タブレットが、外部からのパターン入力を受け付ける入力エリアの作成を指示するトリガ入力を受け付けると、表示一体型タブレットに入力エリアを作成させるエリア作成手段と、トリガ入力に応じて、トリガ入力時の第２の画面をディスプレイに表示する画面切替手段とを含む。
【０００８】
好ましくは、画面切替手段は、入力エリアへのパターン入力の終了指示を受け付けると、トリガ入力時の第２の画面を表示一体型タブレットに表示する。
【０００９】
さらに好ましくは、画面切替手段は、終了指示を受け付けると、トリガ入力時の第２の画面および入力エリアを表示一体型タブレットに表示する。
【００１０】
さらに好ましくは、画面切替手段は、終了指示を受け付けると、入力エリアをトリガ入力時の第２の画面に重畳して表示一体型タブレットに表示する。
【００１１】
さらに好ましくは、画面切替手段は、終了指示を受け付けると、入力エリアを回り込むようにトリガ入力時の第２の画面を表示一体型タブレットに表示する。
【００１２】
さらに好ましくは、画面切替手段は、終了指示を受け付けると、トリガ入力時の第１の画面をディスプレイに表示する。
【００１３】
さらに好ましくは、画面切替手段は、終了指示を受け付けると、ディスプレイにパターン入力を利用した動作を行なうメニューを含むメニュー画面を表示する。
【００１４】
さらに好ましくは、画面切替手段は、トリガ入力時に表示一体型タブレットが、パターン入力を利用した動作を行なうメニューを含むメニュー画面を表示している場合、終了指示を受け付けると、ディスプレイにメニュー画面を表示する。
【００１５】
好ましくは、エリア作成手段は、入力エリアの作成後に、入力エリアを除く表示一体型タブレットの領域が入力を受け付けると、新たに入力エリアを作成する。
【００１６】
好ましくは、表示一体型タブレットは、光センサ内蔵液晶パネルである。
本発明の他の局面に従うと、第１の画面を表示するディスプレイと、第２の画面を表示し、かつ、外部からの入力を受け付け可能な表示一体型タブレットと制御部とを有する電子機器の画面切替方法であって、表示一体型タブレットが外部からのパターン入力を受け付ける入力エリアの作成を指示するトリガ入力を受け付けると、制御部が、表示一体型タブレットに入力エリアを作成するステップと、トリガ入力に応じて、制御部が、トリガ入力時の第２の画面をディスプレイに表示するステップとを備える。
【００１７】
本発明のさらに他の局面に従うと、第１の画面を表示するディスプレイと、第２の画面を表示し、かつ、外部からの入力を受け付け可能な表示一体型タブレットと制御部とを有する電子機器に画面切替を実行させるための画面切替プログラムであって、表示一体型タブレットが外部からのパターン入力を受け付ける入力エリアの作成を指示するトリガ入力を受け付けると、制御部が、表示一体型タブレットに入力エリアを作成するステップと、トリガ入力に応じて、制御部が、トリガ入力時の第２の画面をディスプレイに表示するステップとを備える。
【発明の効果】
【００１８】
本発明に係る電子機器は、第１の表示部として機能するディスプレイと第２の表示部として機能する表示一体型タブレットとを備える。表示一体型タブレットがパターン入力を受け付ける入力エリアの作成を指示するトリガ入力を受け付けると、電子機器は、表示一体型タブレットに入力エリアを作成し、かつ、トリガ入力時に表示一体型タブレットが表示していた画面をディスプレイに表示する。その結果、本発明によれば、複数の画面を有効に利用しつつ手書き認識を行なうことができる。
【発明を実施するための最良の形態】
【００１９】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２０】
［第１の実施の形態］
＜電子機器の外観＞
図１は、第１の実施の形態に係る電子機器１００の外観を示した図である。図１を参照して、電子機器１００は、第１の筐体１００Ａと第２の筐体１００Ｂとを含む。第１の筐体１００Ａと第２の筐体１００Ｂとは、ヒンジにより折畳み可能に接続されているものとする。ただし、電子機器１００は必ずしも折畳型に限定されるものではない。たとえば、電子機器１００は、第１の筐体１００Ａが第２の筐体１００Ｂに対してスライドする構成のスライド式の機器であってもよい。あるいは、第１の筐体１００Ａと第２の筐体１００Ｂとの位置関係は固定されていてもよい。
【００２１】
第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２２】
なお、電子機器１００は、ＰＤＡ（Personal Digital Assistant）、ノート型のパーソナルコンピュータ、電子辞書などの表示機能を有する携帯型デバイスとして構成される。
【００２３】
＜ハードウェア構成について＞
次に、図２を参照して、電子機器１００の具体的構成の一態様について説明する。図２は、電子機器１００のハードウェア構成を表わすブロック図である。電子機器１００は、主たる構成要素として、本体装置１０１と、表示装置１０２と、表示装置１０３とを含む。
【００２４】
第１の筐体１００Ａは、表示装置１０２を含む。第２の筐体１００Ｂは、本体装置１０１と表示装置１０３とを含む。なお、電子機器１００は、第２の筐体１００Ｂの代わりに第１の筐体１００Ａに本体装置１０１を含んでもよい。
【００２５】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００２６】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００２７】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００２８】
ドライバ１３０は、液晶パネル１４０およびバックライト１７９を駆動するための駆動回路である。ドライバ１３０に含まれる各種の駆動回路については、後述する。
【００２９】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００３０】
内部ＩＦ（Interface）１７８は、本体装置１０１と表示装置１０２との間で、データの遣り取りを仲介する。
【００３１】
バックライト１７９は、液晶パネル１４０の裏面に配置された光源である。バックライト１７９は、当該裏面に対して均一な光を照射する。
【００３２】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００３３】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００３４】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００３５】
上記コマンドは、上記光センサによりセンシングを指示するセンシングコマンドを含む。当該センシングコマンドの詳細および上記応答データの詳細については、後述する（図７〜図９）。
【００３６】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００３７】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００３８】
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００３９】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００４０】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００４１】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００４２】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００４３】
ここでいうプログラムとは、ＣＰＵにより直接実行可能なプログラムだけでなく、ソースプログラム形式のプログラム、圧縮処理されたプログラム、暗号化されたプログラム等を含む。
【００４４】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００４５】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００４６】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００４７】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００４８】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００４９】
なお、ここでは、いわゆる線順次方式と呼ばれる駆動方式を用いて説明したが、駆動方式はこれに限定されるものではない。
【００５０】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００５１】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００５２】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００５３】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００５４】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００５５】
光センサ駆動回路１３３は、図２に示すドライバ制御部１８１から制御信号ＴＣ２を受ける。
【００５６】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００５７】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００５８】
なお、電圧ＶＤＤＲを印加するタイミング、および電圧ＶＤＤを印加するタイミングについては、後述する。
【００５９】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００６０】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００６１】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００６２】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００６３】
アンプ１３５は、各センサ信号線（ＳＳ１〜ＳＳｎ）から出力された電圧を増幅する。なお、増幅された電圧は、図２に示した信号処理部１８３に送られる。
【００６４】
なお、画素回路１４１を用いて画像を液晶パネル１４０に表示させるタイミングと、光センサ回路１４４を用いてセンシングするタイミングとについては、画像処理エンジン１８０が制御する。
【００６５】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００６６】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００６７】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００６８】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００６９】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００７０】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００７１】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００７２】
なお、フォトダイオード１４５の位置は、上記の位置に限定されるものではなく、カラーフィルタ１５３ｒに対向する位置やカラーフィルタ１５３ｇに対向する位置に設けることも可能である。
【００７３】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００７４】
以下では、光センサ回路１４４をリセットするためのリセット期間と、光センサ回路１４４を用いて光をセンシングするためのセンシング期間と、センシングした結果を読み出す読出期間とに分けて説明する。
【００７５】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００７６】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００７７】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００７８】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００７９】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００８０】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００８１】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００８２】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００８３】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【００８４】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００８５】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【００８６】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００８７】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【００８８】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【００８９】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【００９０】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【００９１】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【００９２】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【００９３】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【００９４】
図６は、液晶パネル１４０とバックライト１７９との断面図であって、スキャンの際にフォトダイオード１４５がバックライト１７９からの光を受光する構成を示した図である。
【００９５】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【００９６】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【００９７】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【００９８】
以上により、表示装置１０２は、指９００によって光が反射されることにより得られる像（以下、反射像とも称する）をスキャンすることができる。
【００９９】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１００】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１０１】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１０２】
図８は、センシングコマンドの各領域におけるデータの値と、当該値が示す意味内容とを示した図である。
【０１０３】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１０４】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１０５】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１０６】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１０７】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１２）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行うことを指す。
【０１０８】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１０９】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１１０】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１１１】
図９は、応答データの概略構成を示した図である。応答データは、センシングコマンドの内容に応じたデータであって、表示装置１０２の画像処理エンジン１８０が本体装置１０１に対して送信するデータである。
【０１１２】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１１３】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１１４】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１１５】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１１６】
ただし、必ずしも中心座標の位置は上記に限定されるものではなく、中心座標を上記図心の座標あるいは図心の近傍の座標としてもよい。
【０１１７】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１１８】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１１９】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１２０】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１２１】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１２２】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１２３】
＜構成の第１の変形例について＞
ところで、液晶パネル１４０の構成は、図３に示した構成に限定されるものではない。以下では、図３とは異なる態様の液晶パネルについて説明する。
【０１２４】
図１１は、上記異なる態様である光センサ内蔵液晶パネル１４０Ａの回路図である。図１１を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１２５】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１２６】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１２７】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１２８】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１２９】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１３０】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１３１】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１３２】
以上述べたように、電子機器１００が液晶パネル１４０Ａを備えた構成とすることにより、スキャン対象物をカラーでスキャンできることになる。
【０１３３】
次に、図１２を参照して、前述のスキャンの方法（つまり、図６における反射像をスキャンする方法）とは異なるスキャンの方法について説明する。
【０１３４】
図１２は、スキャンの際にフォトダイオードが外光を受光する構成を示した断面図である。図１２に示されるように、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１３５】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１３６】
以上により、表示装置１０２は、指９００によって外光が遮られることにより得られる像（以下、影像とも称する）をスキャンすることができる。
【０１３７】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１３８】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１３９】
＜表示装置について＞
表示装置１０３の動作は、表示装置１０２の動作と同様、本体装置１０１からのコマンド（たとえば、センシングコマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１４０】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１４１】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１４２】
＜ハードウェア構成の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０１４３】
また、第２の筐体１００Ｂは、光センサを内蔵した液晶パネル２４０の代わりに、たとえば抵抗膜方式や静電容量方式のタッチパネルとディスプレイとを組み合わせたものを備えてもよい。第２の筐体１００Ｂは、パターン入力を受付可能で、かつ、表示機能を有するデバイス（表示一体型タブレットとよぶ）を備えていればよい。
【０１４４】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０１４５】
＜機能的構成＞
電子機器１００の機能的構成について、図１３を参照して説明する。図１３は、電子機器１００の機能的構成をブロック図形式で示す図である。図１３を参照して、電子機器１００は、第１の表示部３１０と、第２の表示部３２０と、入力処理部３３０と、記憶部３４０と、制御部３５０と、アプリケーション実行部３６０とを備える。
【０１４６】
第１の表示部３１０は、電子機器１００内部の情報を外部に表示する。本実施の形態では、第１の筐体１００Ａ側に設置された表示装置１０２が、第１の表示部３１０に相当する。
【０１４７】
第２の表示部３２０は、電子機器１００内部の情報を外部に表示する。本実施の形態では、第２の筐体１００Ｂ側に設置された表示装置１０３が、第２の表示部３２０に相当する。したがって、第２の表示部３２０は、液晶パネル２４０およびバックライト２７９を含む。第２の表示部３２０は、液晶パネル１４０を含むため、外部からの指示を受け付ける入力部としても機能する。
【０１４８】
入力処理部３３０は、液晶パネル１４０が得たスキャンデータに基づいて、外部からの指示があったとみなされる座標（指示座標）を出力する。例えば、入力処理部３３０は、すでに述べたような中心座標を、指示座標として出力する。
【０１４９】
また、入力処理部３３０は、指示座標が後述する手書き入力エリア内にあるかどうかを判断する。指示座標が手書き入力エリア外にある場合、入力処理部３３０は、指示座標を制御部３５０に与える。一方、入力処理部３３０は、手書き入力エリア内の指示座標に基づいて、入力パターン３４４を作成する。
【０１５０】
記憶部３４０は、表示データ３４２、入力パターン３４４などの種々の情報を格納する。表示データ３４２は、メニュー画面データ３４３を含む。メニュー画面データ３４３は、アプリケーションを選択可能に表示するメニュー画面についての表示データである。ここで、アプリケーションは、入力パターンを利用した動作を行なう。アプリケーションとしては、例えば、入力された文字を利用する辞書アプリケーションや検索アプリケーションがある。
【０１５１】
制御部３５０は、外部からの指示等に基づいて、電子機器１００全体の動作を制御する。制御部３５０は、表示制御部３５２と、入力エリア作成部３５６と、パターン認識部３５８とを含む。
【０１５２】
表示制御部３５２は、指示座標および表示データ３４２等に基づいて、第１の表示部３１０および第２の表示部３２０を制御し、第１の表示部３１０および第２の表示部３２０に画面を表示させる。
【０１５３】
表示制御部３５２は、画面切替部３５４を含む。画面切替部３５４は、指示座標を受け付けたことに応じて、第１の表示部３１０および第２の表示部３２０が表示する画面を更新する。表示制御部３５２の動作の詳細については、後述する。
【０１５４】
入力エリア作成部３５６は、指示座標を受け付けたことに応じて、液晶パネル１４０がパターン入力を受け付ける入力エリア（手書き入力エリア）を表示するように、表示制御部３５２を制御する。また、入力エリア作成部３５６は、入力処理部３３０の入力受付モードを切り替える指示を与える。切替後の入力受付モード（手書き受付モード）において、入力処理部３３０は、入力エリアへの指示座標に基づいて入力パターン３４４を作成する。
【０１５５】
パターン認識部３５８は、入力パターン３４４と所定の複数の基本パターンとを比較し、入力パターン３４４を基本パターンのいずれかであると判定する。具体的には、たとえば、パターン認識部３５８は、入力パターン３４４を文字認識する。パターン認識部３５８は、認識結果をアプリケーション実行部３６０に与える。
【０１５６】
アプリケーション実行部３６０は、辞書、検索などのアプリケーションを起動し、認識結果に基づいて、アプリケーションを動作させる。本実施の形態では、アプリケーション実行部３６０は、アプリケーションの実行結果を、第１の表示部３１０に表示するものとする。例えば、アプリケーション実行部３６０は、辞書アプリケーションを起動し、認識された文字（１つでも複数でもよい）に対応する詳細表示を、第１の表示部３１０に表示させる。
【０１５７】
＜動作＞
本実施の形態に係る電子機器１００の動作について、図１４を参照して説明する。図１４は、第１の実施の形態に係る電子機器１００の動作の一例を示す図である。
【０１５８】
図１４（Ａ）は、辞書アプリケーションが起動中に、液晶パネル１４０および液晶パネル２４０が表示する画面を示す図である。液晶パネル１４０は、メニュー画面を表示する。メニュー画面では、複数のアプリケーションが選択可能に示される。ここでは、アプリケーションとして、国語辞書、英和辞書、および、和英辞書を示している。液晶パネル２４０は、アプリケーションが作成する画面を表示する。ここでは、起動中のアプリケーションが国語辞書であり、液晶パネル２４０は、見出し語の説明を示す画面（以下、詳細画面とよぶ）を表示する。ここでは、見出し語は、「カルデラ湖」である。
【０１５９】
図１４（Ａ）に示す状態で、スタイラス１０００が、液晶パネル２４０に触れると、制御部３５０は、液晶パネル１４０および液晶パネル２４０を制御し、これらの表示画面を切り替える。特に、制御部３５０は、液晶パネル２４０に入力エリアを作成させる。すなわち、制御部３５０は、入力エリアの非表示時の、液晶パネル２４０へのタッチ入力を、入力エリアの作成を指示するトリガ入力とみなす。なお、タッチ入力は、スタイラス１０００以外の外部物体、例えば、ユーザの指９００によりなされてもよい。
【０１６０】
切り替え後の画面を図１４（Ｂ）に示す。図１４（Ｂ）は、液晶パネル２４０がタッチされたあとに、液晶パネル１４０および液晶パネル２４０が表示する画面を示す図である。  図１４（Ｂ）を参照して、液晶パネル１４０は、タッチ前に液晶パネル２４０に表示されていた画面を表示する。つまり、画面切替部３５４は、タッチ前の液晶パネル２４０の表示画面を、タッチ後の液晶パネル１４０の表示画面とする。また、液晶パネル２４０は、入力エリア４００を含む画面を表示する。つまり、入力エリア作成部３５６は、液晶パネル２４０に入力エリア４００を表示させる。
【０１６１】
このように、入力エリア４００の表示中は、トリガ入力時に液晶パネル２４０に表示されていた詳細画面が、液晶パネル１４０に表示される。液晶パネル１４０に表示された詳細画面には、入力エリア４００によって隠される部分がない。したがって、ユーザは、詳細画面を見ながら、手書き入力を行なうことができる。例えば、ユーザは、詳細画面中の、読めない漢字や意味が分からない語を液晶パネル２４０に手書き入力することができる。
【０１６２】
また、電子機器１００は、スタイラス１０００によりタッチされた液晶パネル２４０に、入力エリア４００を表示する。したがって、ユーザは、入力エリア４００を液晶パネル２４０に表示させる動作を行なってから、スタイラス１０００の位置を大きく移動させることなく、手書き入力を行なうことができる。
【０１６３】
さらに、本実施の形態では、入力エリア作成部３５６は、指示座標の周辺に入力エリア４００を作成する。具体的には、入力エリア作成部３５６は、指示座標を中心とする所定のサイズの入力エリア４００を作成する。そのため、ユーザは、入力エリア４００を液晶パネル２４０に表示させた後、スタイラス１０００の位置をほとんど移動させることなく、手書き入力を行なうことができる。ただし、入力エリア４００の作成位置は、これに限られるわけではない。
【０１６４】
なお、電子機器１００は、入力エリア４００を液晶パネル２４０ではなく、液晶パネル１４０に表示してもよい。ただし、入力エリア４００を作成する表示部は、表示一体型タブレットである必要がある。また、入力エリア４００を表示する表示部は、ユーザが、手書き入力をしやすい筐体に配置されていることが好ましい。例えば、入力エリア４００を表示する表示部は、机などの上に置かれることが想定される筐体や、ユーザが把持することが想定される筐体に配置されていることが好ましい。
【０１６５】
入力エリア４００へのパターン入力の完了指示を受け付けると、制御部３５０は、液晶パネル１４０および液晶パネル２４０を制御し、これらの表示画面を切り替える。制御部３５０は、たとえば、入力の終了ボタンの押下、あるいは、パターン入力が所定の時間以上ないことを、パターン入力の完了指示とみなす。切り替え後の画面を図１４（Ｃ）に示す。図１４（Ｃ）は、パターン入力の完了後に、液晶パネル１４０および液晶パネル２４０が表示する画面を示す図である。
【０１６６】
図１４（Ｃ）を参照して、液晶パネル２４０は、タッチ前に液晶パネル２４０に表示されていた画面を再び表示する。したがって、本実施の形態に係る電子機器１００によれば、ユーザは、入力エリアの作成前、作成中、作成後のいずれにも、詳細画面を見ることができる。
【０１６７】
特に、表示制御部３５２は、液晶パネル２４０に、タッチ前に液晶パネル２４０に表示されていた画面に入力エリア４００を重畳した画面を表示する。したがって、ユーザは、詳細画面と同時に入力した文字も確認することができる。
【０１６８】
あるいは、表示制御部３５２は、入力エリア４００を回り込むように、タッチ前に液晶パネル２４０に表示されていた画面を液晶パネル２４０に表示してもよい。例えば、表示制御部３５２は、入力エリア４００表示領域に基づいて、液晶パネル２４０に表示されていた画面の表示データを編集し、編集後の表示データに基づいた画面を液晶パネル２４０に表示する。
【０１６９】
また、画面切替部３５４は、タッチ前（トリガ入力時）の液晶パネル１４０の表示画面を、パターン入力の完了後の液晶パネル１４０の表示画面とする。したがって、入力エリアの作成後の画面状態は、入力エリアの作成前と同様（入力エリア４００の表示を除いて）であるので、ユーザは、入力エリアの作成後にも、作成前と同様の情報を確認できる。したがって、入力エリアの作成により、操作の一貫性が妨げられることがない。
【０１７０】
この状態でユーザがメニュー画面内のアプリケーションのいずれかを選択すると、アプリケーション実行部３６０は、選択されたアプリケーションを起動する。また、パターン認識部３５８は、入力エリア４００に入力されたパターンを認識し、認識結果を起動されたアプリケーションに与える。ここでは、パターン認識部３５８は、文字認識を行ない、認識結果「机」を、アプリケーションに与えるものとする。アプリケーションは、認識結果に基づく出力画面を液晶パネル１４０あるいは液晶パネル２４０に表示する。
【０１７１】
＜処理の流れ＞
本実施の形態に係る電子機器１００の制御部３５０が行なう処理の流れについて図１５を参照して説明する。図１５は、第１の実施の形態に係る電子機器１００の制御部３５０が行なう処理の流れをフローチャート形式で示す図である。
【０１７２】
ステップＳ１０１において、制御部３５０は、入力処理部３３０から、液晶パネル２４０への入力に対応する指示座標を受け付けたかどうか判断する。なお、液晶パネル２４０は、第２の筐体１００Ｂに設置されていることから、図面中では、液晶パネル２４０を第２のパネルと表わす。同様に、図面中では、液晶パネル１４０を第１のパネルと表わす。
【０１７３】
ステップＳ１０３において、制御部３５０に含まれる画面切替部３５４は、液晶パネル１４０に表示されていた画面を、液晶パネル２４０に表示させる。以下、この処理を画面退避とよぶ。画面退避の詳細については、後述する。
【０１７４】
ステップＳ１０５において、制御部３５０に含まれる入力エリア作成部３５６は、液晶パネル２４０が入力エリアを表示するように、表示制御部３５２を制御する。ここで、入力エリア作成部３５６は、入力処理部３３０からの指示座標に基づいて、入力エリアの表示位置を決定する。また、入力エリア作成部３５６は、入力エリア内の指示座標に基づいて入力パターンを作成するように入力処理部３３０を制御する。
【０１７５】
ステップＳ１０７において、制御部３５０は、入力エリアへの入力が完了したかどうか判断する。すでに述べたように、制御部３５０は、例えば、入力の終了ボタンが押下されたとき、あるいは、パターン入力が所定の時間以上ないときに、パターン入力が完了したと判断する。
【０１７６】
ステップＳ１０９において、画面切替部３５４は、液晶パネル１４０および液晶パネル２４０に、画面退避前の画面を表示させる。以下、この処理を画面復帰とよぶ。画面復帰の詳細については、後述する。
【０１７７】
（画面退避）
画面退避の際に、画面切替部３５４が行なう処理について、図１６を参照して説明する。図１６は、画面切替部３５４が画面退避の際に行なう処理の流れをフローチャート形式で示す図である。
【０１７８】
ステップＳ２０１において、画面切替部３５４は、スタイラス１０００による液晶パネル２４０へのタッチ時点での液晶パネル１４０に表示されている表示データ（第１の画面データ）をバッファメモリに格納する。ここでは、画面データを一時的に格納するメモリ領域を、バッファメモリと呼んでいる。
【０１７９】
ステップＳ２０３において、画面切替部３５４は、スタイラス１０００による液晶パネル２４０へのタッチ時点での液晶パネル２４０に表示されている表示データ（第２の画面データ）を、新たな第１の画面データにする。なお、この際、画面切替部３５４は、第２の画面データを記憶部３４０から消去し、所定の画面データ（単色の背景など）を新たな第２の画面データにするものとする。
【０１８０】
ステップＳ２０５において、画面切替部３５４は、表示制御部３５２を制御し、液晶パネル１４０および液晶パネル２４０に、記憶部３４０に格納されている表示データ３４２に基づく画像を表示させる。したがって、液晶パネル１４０は、スタイラス１０００が液晶パネル２４０をタッチした時点で液晶パネル２４０が表示していた画面を表示する。液晶パネル２４０は、スタイラス１０００が液晶パネル２４０をタッチした時点の画面とは無関係な所定の画面を表示する。
【０１８１】
ステップＳ２０７において、画面切替部３５４は、入力処理部３３０の入力受付モードを、手書き受付モードに変更する。
【０１８２】
（画面復帰）
画面復帰の際に、画面切替部３５４が行なう処理について、図１７を参照して説明する。図１７は、画面切替部３５４が画面復帰の際に行なう処理の流れをフローチャート形式で示す図である。
【０１８３】
ステップＳ３０１において、画面切替部３５４は、第１の画面データを、液晶パネル２４０の表示データにする。
【０１８４】
ステップＳ３０３において、画面切替部３５４は、バッファメモリに格納されているデータを液晶パネル１４０の表示データにする。
【０１８５】
ステップＳ３０５において、画面切替部３５４は、表示制御部３５２を制御し、液晶パネル１４０および液晶パネル２４０に、記憶部３４０に格納されている表示データ３４２に基づく画像を表示させる。したがって、液晶パネル１４０は、スタイラス１０００が液晶パネル２４０をタッチした時点で液晶パネル１４０が表示していた画面を表示する。また、液晶パネル２４０は、スタイラス１０００が液晶パネル２４０をタッチした時点で液晶パネル２４０が表示していた画面を表示する。
【０１８６】
なお、本実施の形態では、画面切替部３５４は、液晶パネル２４０が表示していた画面に重畳して入力エリアを表示する。ただし、画面復帰時の入力エリアの表示形態は、これに限られるわけではない。例えば、画面切替部３５４は、入力エリアを回りこむように、すなわち、入力エリアを避けるように、液晶パネル２４０が表示していた画面（元画面）の表示を変更してもよい。これにより、元画面が入力エリアにより見えなくなることを防ぐことができる。具体的には、例えば、画面切替部３５４は、入力エリアの位置データを取得し、取得した位置データに基づいて、元画面に含まれる文字やオブジェクト等を、入力エリアに重畳しないエリアに配置する表示データを作成し、作成した表示データに基づく画面を表示する。なお、画面切替部３５４は、元画面と入力エリアとが全く重畳しないようにしてもよいし、ユーザが液晶パネル２４０が表示していた画面を確認できる程度にこれらの重畳を許してもよい。あるいは、画面切替部３５４は、液晶パネル２４０に、入力エリアを表示しなくてもよい。逆に、画面切替部３５４は、液晶パネル２４０に、入力エリア作成前の画面を表示せず、入力エリアのみを表示してもよい。
【０１８７】
ステップＳ３０７において、画面切替部３５４は、入力処理部３３０の入力受付モードを、手書き受付モードから通常モードに変更する。通常モードにおいては、入力処理部３３０は、指示座標を受け付けると、指示座標の位置によらず、指示座標を制御部３５０に与える。
【０１８８】
＜入力エリアの再作成＞
入力エリア作成部３５６は、手書き受付モードにおいて、液晶パネル２４０内の入力エリア以外の領域への入力があると、入力エリアを再作成する。すなわち、入力エリア作成部３５６は、その時点での入力エリアの液晶パネル２４０への表示を中止する。また、入力エリア作成部３５６は、入力パターン３４４を記憶部３４０から削除する。さらに、入力エリア作成部３５６は、新たな入力エリアを作成する。
【０１８９】
入力エリアの再作成について、図１８を参照して説明する。図１８は、入力エリアの再作成について説明するための図である。
【０１９０】
図１８（Ａ）は、液晶パネル２４０がタッチされたあとに、液晶パネル１４０および液晶パネル２４０が表示する画面を示す図である。ここでは、ユーザは、入力エリア４００に間違った入力を行なったものとする。
【０１９１】
ユーザがスタイラス１０００で、入力エリア４００を除く液晶パネル２４０の領域をタッチすると、入力エリア作成部３５６は、入力エリアを再作成する。入力エリアの再作成後の液晶パネル１４０および液晶パネル２４０が表示する画面を図１８（Ｂ）に示す。新たに作成された入力エリア４００＃内には、何も表示されない。入力エリア作成部３５６は、それまでの入力パターンをクリアしている。入力エリア作成部３５６は、入力エリア４００＃への入力に基づいて新たな入力パターン３４４を作成し、作成した入力パターン３４４を記憶部３４０に格納する。
【０１９２】
以上説明したように、ユーザは、入力エリアに間違った入力を行なった場合に、入力エリア以外の領域をタッチすることで、改めて入力を行なうことができる。
【０１９３】
［第２の実施の形態］
第１の実施の形態では、電子機器１００は、画面復帰時に、液晶パネル１４０および２４０のそれぞれに、入力エリアの作成前の画面を表示していた。これに対し、第２の実施の形態に係る電子機器１００は、画面復帰時に、液晶パネル１４０に必ずメニュー画面を表示する。
【０１９４】
第２の実施の形態に係る電子機器１００のハードウェア構成および機能的構成は第１の実施の形態とほぼ同様であるので、繰り返さない。ただし、以下で説明するとおり、画面切替部３５４が行なう処理が、第１の実施の形態と異なる。
【０１９５】
本実施の形態に係る電子機器１００の動作について、図１９を参照して説明する。図１９は、第２の実施の形態に係る電子機器１００の動作の一例を示す図である。
【０１９６】
図１９（Ａ）は、辞書アプリケーションが起動中に、液晶パネル１４０および液晶パネル２４０が表示する画面を示す図である。液晶パネル１４０は、見出し語「カルデラ」についての詳細画面を表示する。液晶パネル２４０は、見出し語「カルデラ湖」について詳細画面を表示する。
【０１９７】
図１９（Ａ）に示す状態で、スタイラス１０００が、液晶パネル２４０に触れると、制御部３５０は、液晶パネル１４０および液晶パネル２４０に、図１９（Ｂ）に示す画面を表示させる。図１９（Ｂ）は、液晶パネル２４０がタッチされたあとに、液晶パネル１４０および液晶パネル２４０が表示する画面を示す図である。
【０１９８】
図１９（Ｂ）を参照して、制御部３５０は、液晶パネル１４０に、タッチ前に液晶パネル２４０に表示されていた画面を表示させる。また、制御部３５０は、液晶パネル２４０に、入力エリア４００を含む画面を表示させる。第１の実施の形態と同様、指示座標の周辺に入力エリア４００を作成するものとする。
【０１９９】
入力エリア４００へのパターン入力の完了指示を受け付けると、制御部３５０は、液晶パネル１４０および液晶パネル２４０に、図１９（Ｃ）に示す画面を表示させる。図１９（Ｃ）は、パターン入力の完了後に、液晶パネル１４０および液晶パネル２４０が表示する画面を示す図である。
【０２００】
図１９（Ｃ）を参照して、液晶パネル２４０は、第１の実施の形態と同様、タッチ前に液晶パネル２４０に表示されていた画面に入力エリア４００を重畳した画面を表示する。一方、液晶パネル１４０は、第１の実施の形態と異なり、タッチ前に液晶パネル１４０に表示されていた画面によらず、メニュー画面を表示する。
【０２０１】
第１の実施の形態と同様、ユーザが、メニュー画面内のアプリケーションのいずれかを選択すると、アプリケーション実行部３６０は、選択されたアプリケーションを起動する。また、パターン認識部３５８は、入力エリア４００に入力されたパターンを認識し、認識結果を起動されたアプリケーションに与える。アプリケーションは、認識結果に基づく出力画面を液晶パネル１４０あるいは液晶パネル２４０に表示する。
【０２０２】
本実施の形態によれば、ユーザが手書き入力を完了した時点で、必ずメニュー画面が表示される。したがって、ユーザは、すぐにメニュー画面からアプリケーションを選択し、所望のアプリケーションに手書き入力に基づく動作を行なわせることができる。
【０２０３】
制御部３５０が行なう処理の基本的な流れは、第１の実施の形態で図１５を参照して説明したものと同様である。ただし、画面復帰にあたっての処理が第１の実施の形態と異なる。画面復帰の際に、第２の実施の形態に係る画面切替部３５４が行なう処理について、図２０を参照して説明する。図２０は、第２の実施の形態に係る画面切替部３５４が画面復帰の際に行なう処理の流れをフローチャート形式で示す図である。
【０２０４】
ステップＳ４０１において、画面切替部３５４は、第１の画面データを、液晶パネル２４０の表示データにする。
【０２０５】
ステップＳ４０３において、画面切替部３５４は、記憶部３４０に予め格納されているメニュー画面データ３４３を液晶パネル１４０の表示データにする。
【０２０６】
ステップＳ４０５において、画面切替部３５４は、表示制御部３５２を制御し、液晶パネル１４０および液晶パネル２４０に、記憶部３４０に格納されている表示データ３４２に基づく画像を表示させる。したがって、液晶パネル１４０は、メニュー画面を表示する。また、液晶パネル２４０は、スタイラス１０００が液晶パネル２４０をタッチした時点で液晶パネル２４０が表示していた画面を表示する。
【０２０７】
なお、本実施の形態では、画面切替部３５４は、液晶パネル２４０が表示していた画面に重畳して入力エリアを表示する。ただし、第１の実施の形態と同様、画面復帰時の入力エリアの表示形態は、これに限られるわけではない。
【０２０８】
ステップＳ４０７において、画面切替部３５４は、入力処理部３３０の入力受付モードを、手書き受付モードから通常モードに変更する。
【０２０９】
［第３の実施の形態］
第２の実施の形態では、電子機器１００は、画面復帰時に、液晶パネル１４０に常にメニュー画面を表示していた。これに対し、第３の実施の形態に係る電子機器１００は、入力エリアの作成前に液晶パネル２４０がメニュー画面を表示している場合、画面復帰時に、液晶パネル１４０にメニュー画面を表示する。
【０２１０】
第３の実施の形態に係る電子機器１００のハードウェア構成および機能的構成は第１の実施の形態および第２の実施の形態とほぼ同様であるので、繰り返さない。ただし、以下で説明するとおり、画面切替部３５４が行なう処理が、第１の実施の形態および第２の実施の形態とは異なる。
【０２１１】
本実施の形態に係る電子機器１００の動作について、図２１を参照して説明する。図２１は、第３の実施の形態に係る電子機器１００の動作の一例を示す図である。
【０２１２】
図２１（Ａ）は、辞書アプリケーションが起動中に、液晶パネル１４０および液晶パネル２４０が表示する画面を示す図である。液晶パネル１４０は、見出し語「カルデラ湖」についての詳細画面を表示する。液晶パネル２４０は、メニュー画面を表示する。
【０２１３】
図２１（Ａ）に示す状態で、スタイラス１０００が、液晶パネル２４０に触れると、制御部３５０は、液晶パネル１４０および液晶パネル２４０に、図２１（Ｂ）に示す画面を表示させる。図２１（Ｂ）は、液晶パネル２４０がタッチされたあとに、液晶パネル１４０および液晶パネル２４０が表示する画面を示す図である。
【０２１４】
図２１（Ｂ）を参照して、制御部３５０は、液晶パネル１４０に、タッチ前に液晶パネル２４０に表示されていた画面を表示させる。また、制御部３５０は、液晶パネル２４０に、入力エリア４００を含む画面を表示させる。第１の実施の形態と同様、指示座標の周辺に入力エリア４００を作成するものとする。
【０２１５】
入力エリア４００へのパターン入力の完了指示を受け付けると、制御部３５０は、液晶パネル１４０および液晶パネル２４０に、図２１（Ｃ）に示す画面を表示させる。図２１（Ｃ）は、パターン入力の完了後に、液晶パネル１４０および液晶パネル２４０が表示する画面を示す図である。
【０２１６】
図２１（Ｃ）を参照して、液晶パネル１４０は、タッチ前に液晶パネル１４０に表示されていたメニュー画面を表示する。つまり、液晶パネル１４０は、パターン入力が完了しても、メニュー画面の表示を続ける。一方、液晶パネル２４０は、タッチ前に液晶パネル１４０に表示されていた画面に入力エリア４００を重畳した画面を表示する。
【０２１７】
ただし、タッチ前に液晶パネル１４０に表示されていた画面がメニュー画面でない場合、液晶パネル１４０および液晶パネル２４０は、パターン入力の完了後に、入力エリア作成前の画面を表示するものとする。
【０２１８】
第１の実施の形態と同様、ユーザが、メニュー画面内のアプリケーションのいずれかを選択すると、アプリケーション実行部３６０は、選択されたアプリケーションを起動する。また、パターン認識部３５８は、入力エリア４００に入力されたパターンを認識し、認識結果を起動されたアプリケーションに与える。アプリケーションは、認識結果に基づく出力画面を液晶パネル１４０あるいは液晶パネル２４０に表示する。
【０２１９】
本実施の形態によれば、入力エリアの作成前にメニュー画面が液晶パネル２４０あるいは液晶パネル１４０に表示されている場合、ユーザが手書き入力を完了した時点で、入力エリアが作成されていない液晶パネル１４０にメニュー画面が表示される。したがって、ユーザは、メニュー画面からアプリケーションを選択し、所望のアプリケーションに手書き入力に基づく動作を行なわせることができる。
【０２２０】
第２の実施の形態では、入力エリアの作成前にメニュー画面が液晶パネル２４０に表示されていた場合には、電子機器１００は、手書き入力の完了後、液晶パネル１４０および液晶パネル２４０の両方に、メニュー画面を作成することになる。これに対し、本実施の形態では、ユーザは、入力エリア作成前に液晶パネル１４０に表示されていた画面がメニュー画面でない場合、手書き入力の完了後に、入力エリア作成前に液晶パネル１４０に表示されていた画面を参照することができる。
【０２２１】
制御部３５０が行なう処理の基本的な流れは、第１の実施の形態で図１５を参照して説明したものと同様である。ただし、画面復帰にあたっての処理が第１の実施の形態と異なる。画面復帰の際に、第３の実施の形態に係る画面切替部３５４が行なう処理について、図２２を参照して説明する。図２２は、第３の実施の形態に係る画面切替部３５４が画面復帰の際に行なう処理の流れをフローチャート形式で示す図である。
【０２２２】
ステップＳ５０１において、画面切替部３５４は、記憶部３４０に格納されている第１の画面データ、すなわち入力エリア表示中の第１の画面データが、メニュー画面であるかどうか判断する。
【０２２３】
入力エリア表示中の第１の画面データがメニュー画面である場合（ステップＳ５０１においてＹＥＳ）、画面切替部３５４は、ステップＳ５０３において、バッファメモリに格納されているデータ、すなわち、入力エリア作成時の第１の画面データを、液晶パネル２４０の表示データにする。
【０２２４】
一方、第１の画面データがメニュー画面でない場合（ステップＳ５０１においてＮＯ）、画面切替部３５４は、ステップＳ５０５において、入力エリア作成中の第１の画面データ、すなわち、入力エリア作成時の第２の画面データを、液晶パネル２４０の表示データにする。また、ステップＳ５０７において、画面切替部３５４は、バッファメモリに格納されているデータ、すなわち、入力エリア作成時の第１の画面データを、液晶パネル１４０の表示データにする。
【０２２５】
ステップＳ５０９において、画面切替部３５４は、表示制御部３５２を制御し、液晶パネル１４０および液晶パネル２４０に、記憶部３４０に格納されている表示データ３４２に基づく画像を表示させる。
【０２２６】
したがって、入力エリアの作成前に液晶パネル２４０がメニュー画面を表示している場合、液晶パネル１４０は、メニュー画面を表示する。また、液晶パネル２４０は、スタイラス１０００が液晶パネル２４０をタッチした時点で液晶パネル１４０が表示していた画面を表示する。一方、入力エリアの作成前に液晶パネル２４０がメニュー画面を表示していない場合、液晶パネル１４０および液晶パネル２４０は、それぞれ、第１の実施の形態と同様、スタイラス１０００が液晶パネル２４０をタッチした時点で液晶パネル１４０および液晶パネル２４０が表示していた画面を表示する。
【０２２７】
なお、本実施の形態では、画面切替部３５４は、入力エリアへの入力の完了後の液晶パネル２４０に、切替後の画面に重畳して入力エリアを表示する。ただし、第１の実施の形態と同様、画面復帰時の入力エリアの表示形態は、これに限られるわけではない。
【０２２８】
ステップＳ５１１において、画面切替部３５４は、入力処理部３３０の入力受付モードを、手書き受付モードから通常モードに変更する。
【０２２９】
［その他］
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２３０】
【図１】第１の実施の形態に係る電子機器１００の外観を示した図である。
【図２】電子機器１００のハードウェア構成を表わすブロック図である。
【図３】液晶パネル１４０の構成と、当該液晶パネル１４０の周辺回路とを示した図である。
【図４】液晶パネル１４０とバックライト１７９との断面図である。
【図５】光センサ回路１４４を動作させる際のタイミングチャートを示した図である。
【図６】スキャンの際にフォトダイオード１４５がバックライト１７９からの光を受光する構成を示した図である。
【図７】センシングコマンドの概略構成を示した図である。
【図８】センシングコマンドの各領域におけるデータの値と、当該値が示す意味内容とを示した図である。
【図９】応答データの概略構成を示した図である。
【図１０】スキャン画像を示した図である。
【図１１】光センサ内蔵液晶パネル１４０Ａの回路図である。
【図１２】スキャンの際にフォトダイオードが外光を受光する構成を示した断面図である。
【図１３】電子機器１００の機能的構成をブロック図形式で示す図である。
【図１４】第１の実施の形態に係る電子機器１００の動作の一例を示す図である。
【図１５】第１の実施の形態に係る電子機器１００の制御部３５０が行なう処理の流れをフローチャート形式で示す図である。
【図１６】画面切替部３５４が画面退避の際に行なう処理の流れをフローチャート形式で示す図である。
【図１７】画面切替部３５４が画面復帰の際に行なう処理の流れをフローチャート形式で示す図である。
【図１８】入力エリアの再作成について説明するための図である。
【図１９】第２の実施の形態に係る電子機器１００の動作の一例を示す図である。
【図２０】第２の実施の形態に係る画面切替部３５４が画面復帰の際に行なう処理の流れをフローチャート形式で示す図である。
【図２１】第３の実施の形態に係る電子機器１００の動作の一例を示す図である。
【図２２】第３の実施の形態に係る画面切替部３５４が画面復帰の際に行なう処理の流れをフローチャート形式で示す図である。
【符号の説明】
【０２３１】
１００  電子機器、１００Ａ  第１の筐体、１００Ｂ  第２の筐体、１０１  本体装置、１０２  表示装置、１０３  表示装置、１３０  ドライバ、１３１  走査信号線駆動回路、１３２  データ信号線駆動回路、１３３  光センサ駆動回路、１３４  スイッチ、１３５  アンプ、１４０  光センサ内蔵液晶パネル、１４０Ａ  光センサ内蔵液晶パネル、１４１  画素回路、１４１ｂ  サブピクセル回路、１４１ｇ  サブピクセル回路、１４１ｒ  サブピクセル回路、１４３  電極対、１４３ａ  画素電極、１４３ｂ  対向電極、１４４  センサ回路、１４５  フォトダイオード、１４５ｂ  フォトダイオード、１４５ｇ  フォトダイオード、１４５ｒ  フォトダイオード、１４６  コンデンサ、１５１Ａ  アクティブマトリクス基板、１５１Ｂ  対向基板、１５２  液晶層、１５３ｂ  カラーフィルタ、１５３ｇ  カラーフィルタ、１５３ｒ  カラーフィルタ、１５７  データ信号線、１６１  偏光フィルタ、１６２  ガラス基板、１６３  遮光膜、１６４  配向膜、１７３  メモリカードリーダライタ、１７４  通信部、１７５  マイク、１７６  スピーカ、１７７  操作キー、１７９  バックライト、１８０  画像処理エンジン、１８１  ドライバ制御部、１８２  タイマ、１８３  信号処理部、２３０  ドライバ、２４０  光センサ内蔵液晶パネル、２７９  バックライト、２８０  画像処理エンジン、２８１  ドライバ制御部、２８２  タイマ、２８３  信号処理部、３１０  第１の表示部、３２０  第２の表示部、３３０  入力処理部、３４０  記憶部、３４２  表示データ、３４３  メニュー画面データ、３４４  入力パターン、３５０  制御部、３５２  表示制御部、３５４  画面切替部、３５６  入力エリア作成部、３５８  パターン認識部、３６０  アプリケーション実行部、４００  入力エリア、９００  指、１０００  スタイラス。
【図１】
2010152696.tif 000003
【図２】
2010152696.tif 000004
【図３】
2010152696.tif 000005
【図４】
2010152696.tif 000006
【図５】
2010152696.tif 000007
【図６】
2010152696.tif 000008
【図７】
2010152696.tif 000009
【図８】
2010152696.tif 000010
【図９】
2010152696.tif 000011
【図１０】
2010152696.tif 000012
【図１１】
2010152696.tif 000013
【図１２】
2010152696.tif 000014
【図１３】
2010152696.tif 000015
【図１４】
2010152696.tif 000016
【図１５】
2010152696.tif 000017
【図１６】
2010152696.tif 000018
【図１７】
2010152696.tif 000019
【図１８】
2010152696.tif 000020
【図１９】
2010152696.tif 000021
【図２０】
2010152696.tif 000022
【図２１】
2010152696.tif 000023
【図２２】
2010152696.tif 000024